【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
空気処理システムであって、
入口、フィルターハウジング、及び出口を含む流路と、
前記流路に沿って前記フィルターハウジングの中に配置された複数のフィルターと、
前記流路及び前記複数のフィルターに空気を通すブロワーと、
制御回路、ユーザーインターフェイス、及びほこりセンサーを含む内蔵型電子部品モジュールであって、前記空気処理システム内での取り付けの前に試験及び較正をすることができる完全なユニットである、前記内蔵型電子部品モジュールと、
を備えることを特徴とする空気処理システム。
【請求項２】
前記ユーザーインターフェイスは、複数の光源と、複数のディスプレイアイコンを画定する画面と、光を前記光源から前記ディスプレイアイコンへ誘導する光ダクトアレイと、を有するデッドフロントディスプレイを含む、ことを特徴とする請求項１に記載の空気処理システム。
【請求項３】
前記フィルター覆う前記前部カバーを含む、ことを特徴とする請求項２に記載の空気処理システム。
【請求項４】
前記ディスプレイを見えるようにする半透明部分を備え、該半透明部分は半透明窓部である、ことを特徴とする請求項３に記載の空気処理システム。
【請求項５】
前記ディスプレイは複数の表示要素を含み、前記制御回路は、前記空気処理システムの作動モードに応じて異なる各一式の前記表示要素を選択的に点灯させることによって動的ディスプレイを提供するように構成される、ことを特徴とする請求項２に記載の空気処理システム。
【請求項６】
前記デッドフロントディスプレイは複数のタッチセンサーを含む、ことを特徴とする請求項２に記載の空気処理システム。
【請求項７】
前記タッチセンサーのそれぞれは容量性タッチセンサーである、ことを特徴とする請求項６に記載の空気処理システム。
【請求項８】
前記タッチセンサーのそれぞれは透明容量性皮膜を含む、ことを特徴とする請求項７に記載の空気処理システム。
【請求項９】
前記タッチセンサーのそれぞれは回路基板上に配置されたトレース要素を含む、ことを特徴とする請求項６に記載の空気処理システム。
【請求項１０】
前記電子部品モジュールは、前記半透明部分に整合する前記画面を支持するハウジングを含み、前記前部カバーは前記ハウジングと係合し、前記前部カバーと前記ハウジングとの間の係合は前記半透明部分と前記画面との間の整合を提供する、ことを特徴とする請求項３に記載の空気処理システム。
【請求項１１】
前記ほこりセンサーは前記流路に連通する入口を含み、該入口は前記フィルターの上流で前記流路に配置され、空気は前記ブロワーによって前記ほこりセンサーを通して引き込まれて前記出口を通して排出される前に処理される、ことを特徴とする請求項１に記載の空気処理システム。
【請求項１２】
前記電子部品モジュールは前記画面を支持するハウジングを含み、前記ほこりセンサーは前記ハウジングに取り付けられて環境に露出されたほこりセンサー入口を含む、ことを特徴とする請求項１１に記載の空気処理システム。
【請求項１３】
前記ディスプレイは、フィルター寿命ディスプレイ、ブロワー速度ディスプレイ、及びほこりレベルディスプレイを含む、ことを特徴とする請求項２に記載の空気処理システム。
【請求項１４】
前記表示要素のそれぞれは、光源、光ダクト、及び画面を含み、該画面はマスク層及び拡散層を含み、前記光源は点灯されたときに前記半透明部分を通り抜けるのに充分な輝度のものであり、前記半透明部分は前記光源が点灯されないときに不透明な外観を呈する、ことを特徴とする請求項３に記載の空気処理システム。
【請求項１５】
前記表示要素のそれぞれは、光源、光ダクト、及び画面を含み、該画面はマスク層及び拡散層を含み、前記光源は、点灯されたときに前記半透明窓部を通り抜けるのに充分な輝度のものであり、前記画面は前記光源が点灯されないときに前記不透明窓部によって隠される、ことを特徴とする請求項４に記載の空気処理システム。
【請求項１６】
前記表示要素の少なくとも１つは容量性皮膜の区分を含み、前記制御回路は前記容量性皮膜の区分から取られた測定結果に基づいてタッチを判定することが可能である、ことを特徴とする請求項１４に記載の空気処理システム。
【請求項１７】
前記容量性皮膜は前記電子部品モジュール内に含まれる、ことを特徴とする請求項１６に記載の空気処理システム。
【請求項１８】
前記表示要素の少なくとも１つは、前記表示要素のための前記光ダクトの回りに少なくとも部分的に延びるトレース要素を含み、前記制御回路は前記トレース要素から得られた測定結果に基づいてタッチを判定することが可能である、ことを特徴とする請求項１４に記載の空気処理システム。
【請求項１９】
前記制御回路は、前記前部カバーが取り外されたときを判定するためのインターロックを含み、前記制御回路は前記容量性皮膜の区分から得られた測定結果と閾値との比較に基づいてタッチを認識し、前記制御回路は、前記前部カバーが存在するときの第１の閾値と、前記前部カバーが取り外されたときに前記第１の閾値とは異なる第２の閾値とに基づいて作動することを特徴とする請求項１６に記載の空気処理システム。
【請求項２０】
前記インターロックは前記電子部品モジュールにおけるホール効果センサーを含み、前記前部カバーは、前記前部カバーが取り付けられたときに前記ホール効果センサーに影響を与えるように配置された磁石を含む、ことを特徴とする請求項１９に記載の空気処理システム。
【請求項２１】
前記制御回路は前記前部カバーが取り外されたときを判定するための容量性センサーを含み、前記制御回路は、前記トレース要素から得られた測定結果に基づいてタッチを認識し、前記前部カバーが存在するときの第１の閾値と、前記前部カバーが取り外されたときに前記第１の閾値とは異なる第２の閾値とに基づいて作動する、ことを特徴とする請求項１８に記載の空気処理システム。
【請求項２２】
ＲＦＩＤリーダー／ライターをさらに含み、前記ＲＦＩＤリーダー／ライターは、隣接する前記フィルターハウジングの中に配置され、前記制御回路は、前記フィルターの少なくとも１つに含まれるＲＦＩＤタグ上のフィルター寿命データを維持するために前記ＲＦＩＤリーダー／ライターを作動させるように構成される、ことを特徴とする請求項１に記載の空気処理システム。
【請求項２３】
前記制御回路は、前記フィルターの少なくとも１つに含まれるＲＦＩＤタグから連番を得るために前記ＲＦＩＤリーダー／ライターを作動させるように構成される、ことを特徴とする請求項２２に記載の空気処理システム。
【請求項２４】
前記光源は少なくとも２つの発光要素を含み、前記表示要素のそれぞれが少なくとも２つの異なる状態で点灯されることが可能である、ことを特徴とする請求項１４に記載の空気処理システム。
【請求項２５】
前記電子部品モジュールは無線トランシーバーを含み、前記制御回路は、前記無線レシーバーを通して遠隔電子装置から操作者の入力を受信することが可能である、ことを特徴とする請求項１に記載の空気処理システム。
【請求項２６】
前記電子部品モジュールは無線トランシーバーを含み、前記制御回路は、前記無線レシーバーを通して遠隔電子装置から操作者の入力を受信することが可能であり、また、前記空気処理システムに関する情報を遠隔電子装置に送信することが可能である、ことを特徴とする請求項１記載の空気処理システム。
【請求項２７】
センサーダクトは、前記内蔵型電子部品モジュールの空気の入り口から、前記内蔵型電子部品モジュール内を通じて、前記内蔵型電子部品モジュール内に配置された前記ほこりセンサーまで空気を通す、ことを特徴とする請求項１に記載の空気処理システム。
【請求項２８】
前記内蔵型電子部品モジュールは交換可能なユニットである、ことを特徴とする請求項１に記載の空気処理システム。
【請求項２９】
前記内蔵型電子部品モジュールは、前記空気処理システム内での設置の前に試験され、較正されるように構成されている、ことを特徴とする請求項１に記載の空気処理システム。
【請求項３０】
前記内蔵型電子部品モジュールは、電源供給部品を除いて、空気処理システムの電子部品の全てを含む、ことを特徴とする請求項１に記載の空気処理システム。
【請求項３１】
前記内蔵型電子部品モジュールは、前記空気処理システムの設置および組み立ての前に較正および試験可能である、ことを特徴とする請求項３０に記載の空気処理システム。